【事件の表示】
　平成　４年特許願第２１０６８２号「熱ローラ定着用静電荷像現像用トナー」拒絶査定に対する審判事件〔平成　６年　２月１０日出願公開、特開平　６−　３５２２５、請求項の数（１）〕について、次のとおり審決する。
【結　論】
　原査定を取り消す。
　本願の発明は、特許すべきものとする。
【理　由】
　１．手続きの経緯・本願発明　
　本願は、平成４年７月１６日の出願であって、平成１２年１０月１７日付けで拒絶の理由が通知され、平成１２年１２月２２日付けで手続きの補正がなされ、平成１３年１月１６日付けで拒絶の査定がなされたものであり、その請求項１に係る発明は、特許請求の範囲の請求項１に記載された次のとおりのものである。　
　「【請求項１】　少なくとも、樹脂と、着色剤と、低分子量オレフィン重合体もしくは低分子量オレフィン共重合体とを含有してなり、前記樹脂はポリエステル樹脂のみよりなり、熱ローラ定着器による定着工程を含む画像形成プロセスに使用される熱ローラ定着用静電荷像現像用トナーにおいて、
　トナー粒子の全体に存在するの量（ｘ）と、トナー粒子の表面層に存在するポリエステル樹脂の量（ｙ）が、下記式(1)乃至式(3)に示す条件を満足することを特徴とする下記式(1)乃至式(3)に示す条件を満足することを特徴とする熱ローラ定着用静電荷像現像用トナー。
　式(1)；　１．０≦ｘ≦４．０　
　式(2)；　　３０≦ｙ　
　式(3)；−１５ｘ＋９９．５＞ｙ＞−１５ｘ＋７５　
（ただし、ｘは「重量％」で表し、ｙは「個数％」で表す。）」
　（なお、特許請求の範囲の記載等の「円で囲った数字」は、「カッコをほどこした数字」で代用する。）
　
　２．原査定の概要　
　原査定の拒絶理由の概要は次のとおりである。　
　本願請求項１に係る発明（以下、「本願発明」という。）は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。　
　　
　　　　　　　　　　記　
　
　１．特開平０２−０８７１５７号公報
　２．特開平０４−１０１１６３号公報
　３．特開平０３−２９６０６７号公報
　４．特開平０２−０８７１５９号公報　　　　　　　　　　　　　　　　　　　　　　　　　　　　　　　　　　
　３．引用例の記載　
　刊行物１（特開平０２−０８７１５７号公報）は、静電荷像記録方法に関するもので、樹脂、ポリオレフィン及び磁性粉よりなる磁性トナーであって、該磁性トナー粒子のワーデルの球形化度が０．４〜０．８の範囲にありかつ、該トナー粒子の表面におけるポリオレフィンの表面存在割合が１０〜４０％であるものを用い、熱ローラ定着器により定着してトナー画像を形成することが開示されており、ポリオレフィンを添加した磁性トナーにおいて、逆極性トナーの発生を抑え、デジタル画像におけるフリンジ像発生の防止を目的とする。　
　そして、トナー作成例には、スチレン−アクリル共重合体を結着樹脂とし磁性粉を含有するトナーの、トナー粒子表面のポリプロピレンの存在割合の数値が示されている。　
　また、結着樹脂として、多数の樹脂が例示されている中に「ポリエステル樹脂」が含まれている。（第４頁右上欄）
　
　刊行物２（特開平０４−１０１１６３号公報）は、ラジカル重合性単量体、低分子量オレフィンおよび着色剤を懸濁重合させて得られる着色粒子よりなる静電荷像現像用トナーに関し、その着色粒子の表面に存在する低分子量ポリオレフィンの量を５〜４０個数％とすることが開示されており、均一で良好な帯電性を有し、オフセット性のない現像用トナーを提供することを目的とする。
　そして、粒子作成例には、スチレン−ブチルアクリレート共重合体を結着樹脂とし、トナー粒子表面の表面の該ポリプロピレンの存在割合が数値で示されている。
　
　刊行物３（特開平０３−２９６０６７号公報）は、結着樹脂及び着色剤からなる静電荷像現像用トナーに関し、ポリプロピレンが含有され、トナー断面においてポリプロピレンが島状に分散されており、その島状部分の面積比が５〜６０％であることが開示され、感光体上や現像スリーブ上でのトナーの微粉化防止と摩擦熱によるトナーのフィルミングやスペント発生の抑制を目的とする。
　
　刊行物４（特開平０２−０８７１５９号公報）は、樹脂、磁性粉及びポリオレフィンを含有してなる磁性トナーに関し、ワーデルの真の球形化度が０．４〜０．８の範囲でありかつ、表面のポリオレフィンの存在割合が１０〜４０％の範囲であるものが開示され、帯電性、転写率、流動性の良好な、かつ画像濃度や画質の優れた磁性トナーを提供することを目的とする。
　そして、粒子作成例には、スチレン−アクリル共重合体を結着樹脂とし、トナー粒子表面の該ポリプロピレンの存在割合が数値で示されている。　
　また、結着樹脂として、多数の樹脂が例示されている中に「ポリエステル樹脂」が含まれている。（第４頁左上欄）
　
 ４．対比判断　
　本願発明の熱ローラ定着用静電荷像現像用トナーは、熱ローラによる定着工程を含む画像形成プロセスに好適に用いることができ、耐オフセット性および転写紙に対する接着性を十分に満足し、優れた定着特性を有する熱ローラ定着用静電荷像現像用トナーを提供することを目的とする。
　一方、刊行物１には、
　「樹脂と、着色剤と、低分子量ポリオレフィンとを含有してなり、熱ローラ定着器による定着工程を含む画像形成プロセスに使用される熱ローラ定着用静電荷像現像用トナーにおいて、
　低分子量ポリオレフィンの表面存在割合が１０〜４０％であるトナー」であって、逆帯電が少なく帯電能率のよいことが記載されている。　
　刊行物１には、トナーの樹脂としてポリエステル樹脂が示されてはいるが、多数列挙された例示樹脂の中に樹脂名があるにすぎず、また、実施例にはスチレン−アクリル共重合の例のみが示されているのであるから、多数の例示された樹脂の中から「ポリエステル樹脂のみよりなる」樹脂成分に特に着目するする事を示唆するものはないし、該樹脂がスチレン−アクリル共重合体と同等に使用できることについての根拠となる記載は刊行物１にはみあたらない。　
　また、刊行物１に記載の実施例のトナー原料の配合割合から「トナー粒子全体に存在する低分子量オレフィン重合体の量（ｘ）」は求めることはできる。　
　しかしながら、刊行物１には、「粒子表面に存在する低分子量のオレフィン重合体の量」が示されているのであって、表面層に存在する樹脂の量ではない。そして、該粒子表面にはトナー原料である樹脂、磁性材料、その他添加剤に類するものが存在するはずであり、しかも粒子表面での該原料の存在割合は明らかではないのであるから、粒子表面に存在する低分子量のオレフィン重合体の量の値に基づいて、「トナー粒子表面に存在するポリエステル樹脂の量（ｙ）」を求めることはできない。　
　そこで、本願発明と刊行物１に記載の発明とを対比すると、次の点で相違する。　
　(a)本願発明のトナーの樹脂が「ポリエステル樹脂のみよりなる」のに対し、刊行物１には、トナーの樹脂として多数例示されている中にポリエステル樹脂が含まれ、実施例にはスチレン−アクリル共重合体の例が示されている。　
　(b)本願発明が、「低分子量オレフィン重合体の量（ｘ）と、トナー粒子の表面層に存在するポリエステル樹脂の量（ｙ）が、下記式(1)乃至式(3)に示す条件を満足する　
　式(1)；　１．０≦ｘ≦４．０　
　式(2)；　　３０≦ｙ　
　式(3)；−１５ｘ＋９９．５＞ｙ＞−１５ｘ＋７５　
（ただし、ｘは「重量％」で表し、ｙは「個数％」で表す。）」のに対し、刊行物１にはこうした関係についての記載はない。　
　相違点について刊行物２ないし４を検討する。　
　(a)について　
　刊行物２には、「ラジカル重合性単量体」を懸濁重合した樹脂粒子からなるトナーが記載されていて、「ポリエステル樹脂のみよりなる」樹脂成分を有するトナーについては記載又は示唆するものではない。　
　刊行物３には、断面が「海島構造」を有するトナーに関するものであって、本願発明のごときトナー粒子の表面に着目するものではないので、本願発明との関連は認められない。　
　刊行物４は、刊行物１に記載の発明とほぼ同様の技術内容を開示するものである。　
　したがって、刊行物２ないし４には本願発明の相違点(a)に係る構成要件を記載又は示唆するとはいえない。　
　(b)について　
　刊行物２及び４には「粒子表面に存在する低分子量のオレフィン重合体の量」が示されているのであるから、刊行物１と同様の理由により本願発明の上記構成要件について記載又は示唆されているとはいえない。　
　刊行物３には、トナー粒子表面に関する記載は見あたらない。　
　したがって、刊行物２ないし４には本願発明の相違点(b)に係る構成要件を記載又は示唆するとはいえない。　
　以上検討したように、刊行物１ないし４には、上記相違点(a)、(b)に係る本願発明の構成要件について記載又は示唆するものはなく、また、本願発明はこれらの構成要件を具備することにより、上記のごとき目的を達成するものであるから、本願発明が刊行物１ないし４の記載に基づいて当業者が容易に発明をすることができたものとすることはできない。
　
　５．まとめ　
　以上のとおりであるから、原査定の理由及び証拠によっては本件請求項１に係る発明を拒絶することはできない。　
　又、他に本件請求項１に係る発明を拒絶すべき理由を発見しない。　
　よって、結論のとおり審決する。